(57)【要約】【課題】  作業時、電線の縺れが発生しないようにして、安定した作業を保障するとともに、作業後の電線残余分の保管を容易にした電線解線装置を提供すること。【解決手段】  水を注入するための注入口および水を排出するための排出口を有するベースと；前記ベースの上面に立設され、外周面に複数の段差部が形成されたポストと；前記ポストが挿入される結合管が中央に設けられ、電線束が搭載されるように、前記ポストを軸として多数積層される棚と；前記棚上に設けられるポストに結合管を介して結合され、内側面には、前記ポストの段差部に係止される係止凹部が形成され、外周面には、下向きにテーパーが付されたリブが形成されるスリーブと；前記スリーブの外側に結合され、ロール状に巻き付けられている電線束を支持し、前記スリーブのリブが挿合される溝が形成され、上向きにテーパーが付されたブラケットを有する電線ガイドと；を含む。【選択図】  図１
0003113519.tif 000002
【実用新案登録請求の範囲】
【請求項１】
水を注入するための注入口（１１）および水を排出するための排出口（１２）を有するベース（１０）と；
前記ベース（１０）の上面に立設され、外周面に複数の段差部（２１）が形成されたポスト（２０）と；
前記ポスト（２０）が挿入される結合管が中央に設けられ、電線束が搭載されるように、前記ポスト（２０）を軸として多数積層される棚（３０）と；
前記棚（３０）上に設けられるポスト（２０）に結合管（３１）を介して結合され、内側面には、前記ポスト（２０）の段差部（２１）に係止される係止凹部（４２）が形成され、外周面には、下向きにテーパーが付されたリブ（４１）が形成されるスリーブ（４０）と；
前記スリーブ（４０）の外側に結合され、ロール状に巻き付けられる電線束を支持し、前記スリーブ（４０）のリブ（４１）が挿合される溝（５１ａ）が形成され、上向きにテーパーが付されたブラケット（５１）を有する電線ガイド（５０）と；
を含んでなることを特徴とする電線解線装置。
【請求項２】
前記結合管（３１）の外周面には、鋸歯状の段差部（３１ａ）と何も形成されていない平坦部（３１ｂ）が３箇所に交互に形成され、
前記平坦部（３１ｂ）のいずれか一つには作業時にスリーブ（４０）が回転しないようにキー溝（３１ｃ）が下部に形成され、
ポスト（２０）の挿合時に摩擦を減らすための玉を収容する長溝（３１ｄ）が下部に形成され、
前記棚（３０）の縁部には、拡張取付アーム（３３）の結合のため、棚（３０）の全縁部にわたって一定間隔で多数の孔（３０ａ）が形成され、
前記スリーブ（４０）のリブ（４１）には、電線ガイドブラケット（５２）の溝（５２ｃ）に挿合される突出部（４１ａ）が形成され、
前記ブラケット（５２）の両側には、分割製造された電線ガイド（５０）の両側を支持するように、挿入溝（５２ｂ）が形成され、
前記ポスト（２０）の上端には溝（２０ａ）が形成され、
フランジ（２１）の下部には突出部（２１ａ）が形成されることにより、ポストとポストの積層結合の際、前記突出部（２１ａ）が前記溝（２０ａ）に結合され、
前記棚（３０）の下部には、ポスト（２０）を軸として結合される支持板（１００）が設けられ、
前記支持板（１００）には、棚の遊動を防止するための支持部（９０）が縦方向に結合されることを特徴とする、請求項１に記載の電線解線装置。
【請求項３】
水を注入するための注入口（１１）および水を排出するための排出口（１２）を有するベース（１０）と；
前記ベース（１０）の上面に立設されるポスト（２０）と；
前記ポスト（２０）が挿入される挿入孔（３１）が中央に設けられ、前記ポスト（２０）上に多数の電線束が積層搭載され、前記挿入孔（３１）を中心に複数のスライド孔（３２）が放射状に形成され、前記各スライド孔（３２）は時計方向に回転するほど、前記挿入孔（３１）が遠くなるように形成される棚（３０）と；
前記各棚（３０）上のポスト（２０）に結合され、外周面には、前記スライド孔（３２）の位置に対応するブラケット（４１）が固定されるスリーブ（４０）と；
前記スリーブ（４０）の外側に結合され、ロール状に巻き付けられている電線束を支持する電線ガイド（５０）と；
一端部は前記電線ガイド（５０）のブラケット（５１）に結合され、他端部は前記スリーブ（４０）のブラケット（４１）に結合されるリンク（６０）と；
を含んでなることを特徴とする電線解線装置。
【考案の詳細な説明】
【技術分野】
【０００１】
本考案は電線解線装置に係り、より詳しくは、作業時、縺れの発生をなくし、様々な電線、工具、そのほかの資材などが底面に置かれた状態で、周りが散漫でなく、片付いた環境で安定した作業が行えるとともに、作業後の電線残余分の保管を容易にした電線解線装置に関するものである。
【背景技術】
【０００２】
一般に、電線生産工場で生産された電線束、または使用後に束状に巻き付けて保管している電線を所要量だけ使用しようとする場合、またはほかの装置に巻き付けておくためには、電線束を解かなければならない。この際、従来はロール状に巻き付けられた状態で、電線束の内部または外部に位置する電線端を用いて電線を解いて使用するため、電線の縺れが発生しやすく、電線の縺れを解くことにかなりの時間が消耗され、作業後にも、使用して残った電線の保管も容易でなくて、電線残量を廃棄しなければならないなどの問題点があった。
【考案の開示】
【考案が解決しようとする課題】
【０００３】
したがって、本発明はこのような従来諸般問題点を解決するためになされたもので、作業時、電線の縺れが発生しないようにして、安定した作業を保障するとともに、作業後の電線残余分の保管を容易にした電線解線装置を提供することにその目的がある。
【課題を解決するための手段】
【０００４】
上記課題を解決するために、本考案は、水を注入するための注入口および水を排出するための排出口を有するベースと；前記ベースの上面に立設され、外周面に複数の段差部が形成されたポストと；前記ポストが挿入される結合管が中央に設けられ、電線束が搭載されるように、前記ポストを軸として多数積層される棚と；前記棚上に設けられるポストに結合管を介して結合され、内側面には、前記ポストの段差部に係止される係止凹部が形成され、外周面には、下向きにテーパーが付されたリブが形成されるスリーブと；前記スリーブの外側に結合され、ロール状に巻き付けられている電線束を支持し、前記スリーブのリブが挿合される溝が形成され、上向きにテーパーが付されたブラケットを有する電線ガイドと；を含んでなることを特徴とする、電線解線装置を提供する。
【０００５】
前記結合管の外周面には、鋸歯状の段差部と何も形成されていない平坦部が３箇所に交互に形成され、前記平坦部のいずれか一つには、作業時にスリーブが回転しないようにキー溝が下部に形成され、ポストの挿合時に摩擦を減らすための玉を収容する長溝が下部に形成され、前記棚の縁部には、拡張取付アームの結合のため、棚の全縁部にわたって一定間隔で多数の孔が形成され、前記スリーブのリブには、電線ガイドブラケットの溝に挿合される突出部が形成され、前記ブラケットの両側には、分割製造された電線ガイドの両側を支持するように、挿入溝が形成され、前記ポストの上端には溝が形成され、フランジの下部には突出部が形成されることにより、ポストとポストの積層結合の際、前記突出部が前記溝に結合され、前記棚の下部には、ポストを軸として結合される支持板が設けられ、前記支持板には、棚の遊動を防止するための支持部が縦方向に結合されることが好ましい。
【０００６】
また、上記課題を解決するために、本考案は、水を注入するための注入口および水を排出するための排出口を有するベースと；前記ベースの上面に立設されるポストと；前記ポストが挿入される挿入孔が中央に設けられ、前記ポスト上に多数の電線束が積層搭載され、前記挿入孔を中心に複数のスライド孔が放射状に形成され、前記各スライド孔は時計方向に回転するほど、前記挿入孔が遠くなるように形成される棚と；前記各棚上ポストに結合され、外周面には、前記スライド孔の位置に対応するブラケットが固定されるスリーブと；前記スリーブの外側に結合され、ロール状に巻き付けられている電線束を支持する電線ガイドと；一端部は前記電線ガイドのブラケットに結合され、他端部は前記スリーブのブラケットに結合されるリンクと；を含んでなることを特徴とする、電線解線装置を提供する。
【考案の効果】
【０００７】
以上のような本考案の電線解線装置によれば、つぎのようないろいろの効果がある。
第一に、電線がロール状態から解けるとき、電線の縺れを防止して、作業時間の損失を最小化することができる。
第二に、作業後、残余分の電線の保管が容易であるので、資材の節減が可能である。
第３に、電線の多様な種類によって交替作業が迅速で容易に行え、作業後に残存する電線束の形態保存が簡便である。
第４に、電線作業に必要ないろいろの資材の片付けが容易である。
【考案を実施するための最良の形態】
【０００８】
以下、添付図面を参照しながら、本考案の好適な実施形態による電線解線装置について詳細に説明する。
【０００９】
図１〜図３に示すように、本考案の電線解線装置は、ベース１０の上面に立設されたポスト２０に多数の棚３０が積層してなる。
【００１０】
前記ベース１０は鉄材から形成されるか、図１に示すように、ベース１０の内部を空洞にして所定の空間部を形成し、この空間部に水またはそのほかの液体が注入できるように、上側に注入口１１を形成して、重さ中心が下側に維持されるようにすることにより、電線の解線作業の際、ベース１０を含む装置全体が遊動せずに安定するようにする。
本考案の装置を移動させるとき、前記ベース１０の空間部に貯蔵された水を排出するため、ベース１０の下側に排出口１２を形成することにより、装置の重さを軽くした後に容易な移動を図る。また、前記ベース１０の底面には、装置がどんな方向にも容易に移動できるように、任意の数の足車１３が設けられる。
【００１１】
前記ベース１０の上面中央には、装置の構成要素の中心軸をなすように、ポスト２０が任意の高さに垂設される。
【００１２】
前記ポスト２０には、多数の電線束が同時に搭載できるように、ほぼ円形になった多数の棚３０が任意の間隔で積層され、前記棚３０の中央上部には、ポスト２０が挿入できるように、挿入孔３１ａが形成された結合管３１が棚３０と一体に突設される。
【００１３】
結合管３１の外周面には、鋸歯のような横段部が形成された段差部３１ｂが複数箇所（たとえば、３箇所）に設けられる。すなわち、前記結合管３１の外周面には、鋸歯状の段差部３１ｂと、何も形成されていない平坦部３１ｃとが交互に形成される。
【００１４】
一方、前記各棚３０は、電線が安着されるように、その縁部が上向きに所定角度で折り曲げられている。
【００１５】
前記各棚３０の中央の結合管３１の周りにはスリーブ４０が結合される。このスリーブ４０の内周面には、前記結合管３１の段差部３１ｂに係止されるように係止凹部４２が形成される。また、スリーブ４０の外周面には、１２０°の間隔でリブ４１が固定され、前記リブ４１は下向きにテーパーが付される。
【００１６】
前記スリーブ４０の外側には、湾曲した電線ガイド５０が棚３０の上面に装着されるように結合されることにより、ロール状に巻き付けられている電線束を支持する。この際、前記電線ガイド５０の内側中央には、ブラケット５１が半径方向内側に形成される。このブラケット５１は、前記スリーブ４０のリブ４１に対応するように、上向きにテーパーが付されている。
【００１７】
したがって、スリーブ４０のリブ４１に各電線ガイド５０のブラケット５１を対応して当接した状態で、結合管３１に沿ってスリーブ４０を下方に下降させれば、スリーブ４０の下向きにテーパーが付されたリブ４１が、上向きにテーパーが付された各電線ガイド５０のブラケット５１を外側方向に押し付けることにより、各電線ガイド５０は棚３０上で外側に拡開し、スリーブ４０を上方に上昇させれば、電線ガイド５０が棚３０上で半径方向内側に窄まる。したがって、作業に必要な電線束の直径に合わせて電線ガイド５０の外周を調節することができる。
【００１８】
この際、スリーブ４０を上昇させるときは、スリーブ４０を任意の方向に少し回転させて、スリーブ４０の係止凹部４２が結合管３１の段差部３１ｂから離脱して平坦部３１ｃに位置させると、容易に上昇させることができる。
【００１９】
前記ポスト２０の上端には、前記ベース１０の一側に結合された支持部６０の折曲端部が結合される。すなわち、前記支持部６０は、ベース１０の一側に結合されて垂直に立設される所定直径の支柱６１と、この支柱６１に一端部が挿入され、折曲他端部がポスト２０の上端部に結合され、棚、スリーブ、電線ガイドなどを支持する支持棒６２とからなる。
【００２０】
この際、前記支持棒６２は支柱６１の内部に挿入されたままで昇降可能に構成され、前記支柱６１の一側には、前記支持棒６２の位置を固定するための締結ネジ６３が設けられる。
【００２１】
このように構成される本考案の電線解線装置の作動を説明すると次のようである。
【００２２】
作業を行うための場所に本考案の装置を移動させた後、ベース１０の内部に水などの液体を充填させてベース１０に所定の重量を与えることで、装置の重さ中心を低くして安定化させた後、ロール状の電線束を棚３０上の電線ガイド５０の外側に載置し、スリーブ４０のリブ４１に、電線ガイド５０のブラケット５１に形成された溝５１ａを結合した後、電線ガイド５０を上昇させることにより、電線ガイド５０の直径を電線束の内経と合わせる。
【００２３】
その後、電線束の一端部を握って解くと、棚３０およびスリーブ４０が回転して、作業に必要な分の電線を容易に供給することができる。
【００２４】
一方、作業が完了して移動するときは、ベース１０の内部に充填された水を排出口１２を介して全て排出させ、作業者が支持部６０を把持したままで装置を容易に所望の場所に移動させることになる。
【００２５】
つぎに、本考案のほかの実施形態について説明する。
【００２６】
図５に示すように、棚３０に一体に構成される結合管３１の外周面には、鋸歯状の段差部３１ａと、何も形成されていない平坦部３１ｂとが、一定の間隔、つまり円周を１２０°の間隔で３等分して交互に形成され、平坦部３１ｂの一側には、作業時、図６のスリーブ４０が自ら回転できないように、下部にキー溝３１ｃが形成され、結合管３１の内周面には、図８のポスト２０が結合されるとき、摩擦を減らすため、玉３１ｄが収容される長溝３１ｅが１２０°間隔で下部に形成される。
【００２７】
図７に示すように、棚３０の傾斜縁部には、一定の間隔で多数の孔３０ａが形成される。したがって、別途に製作された拡張取付アーム３３を棚３０の全周にわたって前記孔３０ａに一定の間隔で挿設することにより、多様な直径の電線束に対応して棚３０の実質的直径が拡張できるようにする。
【００２８】
前記拡張取付アーム３３の先端部には突出部３３ａ、３３ｂが形成され、そのうち、突出部３３ｂが前記孔３０ａに棚の内側から外側に挿入され、突出部３３ａが棚３０の外縁端に結合されることにより、拡張取付アーム３３が棚３０から離脱できなくなる。
【００２９】
一方、前記各棚３０は、電線がその上面に安着するように、その縁部が所定角度で折り曲げられる。
【００３０】
図６および図９に示すように、電線ガイド５０が外側に離脱できないように、スリーブのリブ４１に突出部４１ａが形成され、この突出部４１ａが電線ガイドブラケット５２の溝５２ｃに挿入されることにより、電線ガイド５０が外側に離脱することを防止し、挿入組立の際には、下から上に挿入できるようにする。
【００３１】
この際、前記ブラケット５２は、３等分された各電線ガイドの両側部が挿入溝５２ｂに挿入される方式に、上下遊動可能に結合される。また、電線ガイド５０を拡張する場合は、拡張部材５０ｄを孔５０ｂに挿入して、棚３０に載置された電線束の内径部が拡張部材３０ｄによりしっかりと固定された状態で電線が解けるようにする。
【００３２】
図８に示すように、ポスト２０の上端には溝２０ａが形成され、フランジ２１の下側には突出部２１ａが形成される。したがって、ポスト同士積層されるとき、前記突出部２１ａが溝２０ａに挿合されるので、ポスト２０が全体的に一体化した状態を維持する。
【００３３】
一方、図４に示すように、最上層の棚３０上には、ポスト２０を介して電線離脱防止体７０が結合されるので、電線が解けるとき、上方に離脱することを防止する。
【００３４】
このような電線離脱防止体は、図１０に示すような形態の電線離脱防止体７１に変形してもよい。このような事項は単純に設計上の変更事項であるので、本考案の技術的思想を逸脱しない範囲内で多様に変形実施可能なものである。
【００３５】
また、図４に示すように、本考案の電線解線装置の下部には、水を注入して安定した重さ中心を取るように設計されたベース１０の代わりに、簡便にポスト２０を介して結合可能なほかの形態のベース８０を結合してもよい。この際、ベース８０には任意の数の足車１３が取り付けられ、装置の固定時には、地面に接触して装置の固定状態をより確かにし、装置の移動時には、地面から離隔して移動を容易にする固定部材６４ａ、６４ｂを取り付けてもよい。
【００３６】
このようなベースも、図１０に示すように、いろいろに形状を変更して実施することができるものであり、このような事項も単純な設計事項の変更であるので、使用者の要求に応えて適宜変形して採用してもよい。
【００３７】
また、図４に示すように、支持部６０の締結ネジ６３を多数箇所に設けることにより、電線解線装置の全体的な均衡を維持するのに役立つようにすることもできる。
【００３８】
また、多数の棚３０がそれぞれ回転する場合、装置全体の揺れが発生し得るので、図１１に示すように、上下部にそれぞれ挿入溝９１が形成された支持部９０を用意し、それぞれの棚３０の下部には、ポスト２０を軸として結合される支持板１００を構成し、棚３０が、たとえば二つずつ結束されるように、前記支持部９０の挿入溝９１に支持板１００を挿入することにより、二つの棚が一つに結束されるので、電線解線作業の際、装置の遊動を防止して安定した作業を可能にすることができる。
【００３９】
前記支持部９０は、複数の棚３０を統合して地面に安置させるなど、いろいろの用途に使用することができる。
【００４０】
図１２は本考案のさらにほかの実施形態による電線解線装置の分解斜視図、図１３は図１２の要部の分解斜視図である。
【００４１】
図示のように、ベース１０の上面中央にはポスト２０が立設され、前記ポスト２０には、電線束が搭載できるように、多数の円形棚３０が積層され、前記棚３０の中央には、ポスト２０が挿入される挿入孔３１が形成され、この挿入孔３１を中心に放射状に三つのスライド孔３２が形成される。前記各スライド孔３２は、図１３に示すように、時計方向に回転するほど、挿入孔３１から遠くなるように形成される。
【００４２】
一方、前記各棚３０は、電線が安定的に搭載されるように、その縁部が上向きに所定角度で折り曲げられる。
【００４３】
前記各棚３０上のポスト２０にはスリーブ４０が結合される。このスリーブ４０は所定直径の中空円筒体であって、その外周面には１２０°の間隔でブラケット４１が固定され、それぞれのブラケット４１にはネジ孔４１ａが穿設されている。
【００４４】
前記スリーブ４０の外側には電線ガイド５０が結合され、この電線ガイド５０はロール状に巻き付けられている電線束を支持する。すなわち、電線ガイド５０の内側には、前記ブラケット４１に対応するネジ孔６１が形成されたリンク６０が結合され、ブラケット４１とリンク６０が互いにネジで結合されることにより、スリーブ４０に電線ガイド５０が固定される。
【００４５】
前記電線ガイド５０の内側中央には断面“コ”字状のブラケット５１が設けられ、前記断面“コ”字状のブラケット５１の下端に固定ピン５２が結合される。そして、前記リンク６０の一端部は前記断面“コ”字状のブラケット５１の間に結合され、他端部はスリーブ４０のブラケット４１にネジで結合される。
【００４６】
したがって、前記電線ガイド５０の下端部はスライド孔３２に挿入され、このスライド孔３２に沿って電線ガイド５０が回転されることにより、電線束の直径に合わせて拡張されて電線束を弾支し、電線ガイド５０の底面に固定ピン５２が結合されることにより、棚３０に電線ガイド５０が固定される。
【００４７】
以上、添付図面を参照しながら本考案の好適な実施形態について説明したが、本考案はかかる例に限定されない。当業者であれば、考案請求の範囲に記載された範疇内において、各種の変更例または修正例に想到し得ることは明らかであり、それらについても当然に本考案の技術的範囲に属するものと了解される。
【産業上の利用可能性】
【００４８】
本考案は、作業時、電線の縺れ現象が発生しないようにして、安定した作業を保障するとともに、作業後の電線残余分の保管を容易にした電線解線装置に適用可能である。
【図面の簡単な説明】
【００４９】
【図１】本考案の実施形態による電線解線装置を示す斜視図である。
【図２】図１の電線解線装置を示す分解斜視図である。
【図３】図１の電線解線装置の要部を示す分解斜視図である。
【図４】本考案のほかの実施形態による電線解線装置の分解斜視図である。
【図５】図４の結合管の拡大斜視図である。
【図６】図４のスリーブの拡大斜視図である。
【図７】図４の棚の拡大斜視図である。
【図８】図４のポスト同士の結合状態を示す斜視図である。
【図９】図４のスリーブと電線ガイドの分解斜視図である。
【図１０】図４の電線離脱防止体およびベース部の変形実施形態を示す斜視図である。
【図１１】棚の遊動を防止するために構成される支持部の変形実施形態を示す断面図および斜視図である。
【図１２】本考案のさらにほかの実施形態による電線解線装置の分解斜視図である。
【図１３】図１２の要部の分解斜視図である。
【符号の説明】
【００５０】
１０  ベース
１１  注入口
１２  排出口
１３  足車
２０  ポスト
２０ａ  溝
２１  段差部
２１ａ  突出部
３０  棚
３０ａ  孔
３１  挿入孔
３１ａ  段差部
３１ｂ  平坦部
３１ｃ  キー溝
３１ｄ  玉
３１ｅ  長溝
３２  スライド孔
３３  拡張取付アーム
３３ａ、３３ｂ  突出部
４０  スリーブ
４１  リブ
４１ａ、４１ｂ  突出部
４２  係止凹部
５０  電線ガイド
５０ｂ  孔
５０ｄ  拡張部材
５１  ブラケット
５１ａ  溝
５２  ブラケット
５２ｂ  挿入溝
５２ｃ  溝
６０  支持部
６１  支柱
６２  支持棒
６３  締結ネジ
６４ａ、６４ｂ  固定部材
７０  電線離脱防止体
７１  電線離脱防止体
８０  ベース
９０  支持部
９１  挿入溝
１００  支持板
【図１】
0003113519.tif 000003
【図２】
0003113519.tif 000004
【図３】
0003113519.tif 000005
【図４】
0003113519.tif 000006
【図５】
0003113519.tif 000007
【図６】
0003113519.tif 000008
【図７】
0003113519.tif 000009
【図８】
0003113519.tif 000010
【図９】
0003113519.tif 000011
【図１０】
0003113519.tif 000012
【図１１】
0003113519.tif 000013
【図１２】
0003113519.tif 000014
【図１３】
0003113519.tif 000015